(57)【要約】  【課題】前後を確実に識別可能にする使い捨て吸収性物品を提供する。  【解決手段】おむつ体１に背側腰回り部13を形成する。背側腰回り部13に腰回り用弾性体23を配設する。背側腰回り部13の腰回り用弾性体23が配設されていない部分に、触覚により前後を識別可能とする凸状の識別部を備えた前後識別用部材26を設ける。暗い場所で装着する際、あるいは目が不自由な人が装着する際にも、おむつ体１の前後を確実に識別可能になる。  【選択図】図１
2005137582.tif 000002
【特許請求の範囲】
【請求項１】
透液性表面シート、不透液性裏面シートおよびこれら透液性表面シートと不透液性裏面シートとの間に配設された吸収体をそれぞれ備え、背側腰回り部、両側に脚回り部を形成した股下回り部、および腹側腰回り部が長手方向に順次一体的に形成され、かつ前記背側腰回り部の幅方向の両側部と前記腹側腰回り部の幅方向の両側部とが接合されて腰回り開口部および一対の脚回り開口部が形成される吸収性物品体を具備し、
前記腰回り開口部には、前記背側腰回り部および前記腹側腰回り部に亘る腰回り用弾性体が縁部の全周に配設され、
前記一対の脚回り開口部には、縁部の全周に亘って脚回り用弾性体がそれぞれ配設され、
前記背側腰回り部および前記腹側腰回り部の少なくともいずれか一方には、前記腰回り用弾性体が配設されていない部分に、触覚により前後を識別可能とする識別部を備えた前後識別用部材が設けられた
ことを特徴とした使い捨て吸収性物品。
【請求項２】
吸収性物品体は、不透液性裏面シート側に面する内側シート片、および、外側に面する外側シート片を有し前記不透液性裏面シートの外面側に結合された外装シートを備え、
前後識別用部材は、前記内側シート片と前記外側シート片との間に設けられている
ことを特徴とした請求項１記載の使い捨て吸収性物品。
【請求項３】
識別部は、点字である
ことを特徴とした請求項１または２記載の使い捨て吸収性物品。
【発明の詳細な説明】
【技術分野】
【０００１】
本発明は、大人用、あるいは失禁用などの使い捨て吸収性物品に関する。
【背景技術】
【０００２】
従来、この種の使い捨て吸収性物品は、透液性表面シート、不透液性裏面シートおよびこれら両シートの間に配設された吸収体を有する略四角形状の吸収性物品体を備えている。この吸収性物品体には、後側である背側腰回り部、両側脚回り部、および、前側である腹側腰回り部が長手方向の順次一体的に形成されている。また、この吸収性物品体は、背側腰回り部および腹側腰回り部の両側部がそれぞれ接合されて一つの腰回り開口部と一対の脚回り開口部とを有するパンツ形状に形成される。そして、背側腰回り部および腹側腰回り部には、腰回り開口部の全周に亘って腰回り用弾性体が伸縮可能に設けられている。
【０００３】
しかしながら、この使い捨て吸収性物品では、装着の際などに前後の識別が容易でない。
【０００４】
このため、パンツ形状の吸収性物品体の前身頃および後身頃の少なくともいずれか一方、あるいは一部分などに、予め模様あるいは文字などを施したり、模様あるいは文字などが施された部材を貼着したりして前後の識別を可能とする構成が知られている（例えば、特許文献１参照。）。
【特許文献１】特開平１０−２９８８０１号公報（第２−４頁、図１−図４）
【発明の開示】
【発明が解決しようとする課題】
【０００５】
しかしながら、上述の使い捨て吸収性物品では、明るい場所での行為、あるいは介護者が装着者に装着する場合には前後の識別が可能であるものの、例えば夜間、あるいは暗い場所での装着、目が不自由な人が装着する場合などには、模様、あるいは文字などが見にくく、前後の識別が容易でないという問題点を有している。
【０００６】
本発明は、このような点に鑑みなされたもので、前後を確実に識別可能にする使い捨て吸収性物品を提供することを目的とする。
【課題を解決するための手段】
【０００７】
請求項１記載の使い捨て吸収性物品は、透液性表面シート、不透液性裏面シートおよびこれら透液性表面シートと不透液性裏面シートとの間に配設された吸収体をそれぞれ備え、背側腰回り部、両側に脚回り部を形成した股下回り部、および腹側腰回り部が長手方向に順次一体的に形成され、かつ前記背側腰回り部の幅方向の両側部と前記腹側腰回り部の幅方向の両側部とが接合されて腰回り開口部および一対の脚回り開口部が形成される吸収性物品体を具備し、前記腰回り開口部には、前記背側腰回り部および前記腹側腰回り部に亘る腰回り用弾性体が縁部の全周に配設され、前記一対の脚回り開口部には、縁部の全周に亘って脚回り用弾性体がそれぞれ配設され、前記背側腰回り部および前記腹側腰回り部の少なくともいずれか一方には、前記腰回り用弾性体が配設されていない部分に、触覚により前後を識別可能とする識別部を備えた前後識別用部材が設けられたものである。
【０００８】
そして、吸収性物品体に形成された背側腰回り部および腹側腰回り部の少なくともいずれか一方の腰回り用弾性体が配設されていない部分に、触覚により前後を識別可能とする識別部を備えた前後識別用部材を設けることで、例えば暗い場所で装着する際、あるいは目が不自由な人が装着する際などにも、前後を確実に識別可能になる。
【０００９】
請求項２記載の使い捨て吸収性物品は、請求項１記載の使い捨て吸収性物品において、吸収性物品体は、不透液性裏面シート側に面する内側シート片、および、外側に面する外側シート片を有し前記不透液性裏面シートの外面側に結合された外装シートを備え、前後識別用部材は、前記内側シート片と前記外側シート片との間に設けられているものである。
【００１０】
そして、吸収性物品体の不透液性裏面シートの外面側に結合された外装シートの不透液性裏面シート側に面する内側シート片と外側に面する外側シート片との間に前後識別用部材を設けることで、吸収性物品体の外側から識別部を触覚で識別することを可能にしつつ、風合いを損なうことを防止する。
【００１１】
請求項３記載の使い捨て吸収性物品は、請求項１または２記載の使い捨て吸収性物品において、識別部は、点字であるものである。
【００１２】
そして、識別部を点字とすることで、例えば目の不自由な人などでも、より確実に前後を識別可能になる。
【発明の効果】
【００１３】
請求項１記載の発明によれば、背側腰回り部および腹側腰回り部の少なくともいずれか一方の腰回り用弾性体が配設されていない部分に、触覚により前後を識別可能とする識別部を備えた前後識別用部材を設けることで、例えば暗い場所で装着する際、あるいは目が不自由な人が装着する際などにも、前後を確実に識別できる。
【００１４】
請求項２記載の発明によれば、不透液性裏面シート側に面する内側シート片と外側に面する外側シート片との間に前後識別用部材を設けることで、吸収性物品体の外側から識別部を触覚で識別することを可能にしつつ、風合いを損なうことを防止できる。
【００１５】
請求項３記載の発明によれば、識別部を点字とすることで、例えば目の不自由な人などでも、より確実に前後を識別できる。
【発明を実施するための最良の形態】
【００１６】
以下、本発明の第１の実施の形態の使い捨て吸収性物品の構成を図１および図２を参照して説明する。
【００１７】
図１において、使い捨て吸収性物品は、例えば使い捨て紙おむつであり、吸収性物品体としてのおむつ体１を備えている。このおむつ体１は、図１に示す展開状態から、図２に示すパンツ形状にすることで、例えば病人、失禁者などの装着者の背部側から腹部側に身体に沿って装着するものである。そして、このおむつ体１は、透液性を有する透液性表面シート２、不透液性を有する不透液性裏面シート３、これら透液性表面シート２と不透液性裏面シート３との間に配設された液吸収性を有する吸収体４、および不透液性裏面シート３の外面側に結合された外装シート５にて層状に形成されている。
【００１８】
また、透液性表面シート２と不透液性裏面シート３とは、周縁部が例えば接着剤などで接合されて吸収体４が封着されている。
【００１９】
ここで、透液性表面シート２は、例えば織布、不織布、多孔性フィルム、或いは合成繊維などの、透液性および通気性を有しかつ肌着に近い感触のシート材で形成され、尿などの排泄液を吸収体４へ透過するとともに、身体に直接接触しても不快感を与えないようになっている。
【００２０】
また、不透液性裏面シート３は、例えばポリエチレン（polyethylene）樹脂などの合成樹脂など、不透液性および通気性を有したシート材にて形成され、尿などの排泄液にて例えば下着などの他の衣類、或いはシーツなどの汚れを防止している。
【００２１】
さらに、吸収体４は、例えばパルプを主とする材料であって一部に高分子吸収体などの物質を含んだ材料にてシート状に形成され、尿などの排泄液を充分に吸収する。
【００２２】
そして、これら透液性表面シート２、不透液性裏面シート３および吸収体４は、図１に示すように、おむつ体１の長手方向に略沿って略四角形状に順次形成されている。
【００２３】
さらに、外装シート５は、透液性表面シート２、不透液性裏面シート３および吸収体４よりも大きく形成され、通気性および不透液性を有し不透液性裏面シート３側に面する内側シート片11と、外側に面する外側シート片12が、厚さ方向に重ね合わせて一体的に接合して形成され、不透液性裏面シート３の外側面が内側シート片11に例えば接着剤などにて接合されている。
【００２４】
そして、この外装シート５は、展開状態で背側腰回り部13、股下回り部14および腹側腰回り部15がおむつ体１の長手方向に順次一体的に形成されるとともに、長手方向に略沿った中心線にて線対称な略矩形状に形成されて、この股下回り部14の幅方向の両側縁には、略凹弧状に切り欠き形成された脚回り部16が形成されている。
【００２５】
また、透液性表面シート２、不透液性裏面シート３および吸収体４は、おむつ体１の外装シート５の長手方向に略沿った状態で、背側腰回り部13、股下回り部14および腹側腰回り部15の略中央に亘って配設されている。
【００２６】
さらに、おむつ体１の外装シート５の背側腰回り部13は、展開状態におけるおむつ体１の長手方向の一端側に形成され、この展開状態からおむつ体１が適宜折り曲げられて、装着者の腰回りの背部側に位置する部分となっている。そして、この背側腰回り部13の両外側縁部には、図示しない背側結合部が形成されている。
【００２７】
また、おむつ体１の股下回り部14は、展開状態における長手方向の中間部に、背側腰回り部13から腹側腰回り部15に亘っておむつ体１の長手方向側に連続して一体に形成され、この展開状態からおむつ体１が適宜折り曲げられて、装着者の股下に位置する部分となっている。
【００２８】
そして、おむつ体１の腹側腰回り部15は、展開状態におけるおむつ体１の長手方向の股下回り部14の背側腰回り部13と反対側の他端側に連続して一体に形成され、この展開状態からおむつ体１が適宜折り曲げられて、装着者の腰回りの腹部側に位置する部分となっている。また、この腹側腰回り部15は、背側腰回り部13と同様に、おむつ体１の幅方向に略沿った長手方向を有した略矩形状に形成されている。
【００２９】
さらに、腹側腰回り部15の両外側部近傍には、背側腰回り部13の背側結合部と接合される図示しない腹側結合部が設けられている。そして、これら腹側結合部を背側結合部と接合することにより、図２に示すように、背側腰回り部13および腹側腰回り部15により腰回り開口部21が形成され、かつ一対の脚回り部16により一対の脚回り開口部22が形成されるパンツ形状となる。
【００３０】
また、両腰回り部13，15における内側シート片11および外側シート片12の間には、図１に示すように、複数本、例えば３本の腰回り用弾性体23が配設されている。これら腰回り用弾性体23は、例えば紐状ゴムなどの伸縮可能な部材であり、両腰回り部13，15の幅方向にそれぞれ伸張した状態で、これら両腰回り部13，15の幅方向に沿って接着剤などにてそれぞれ固着され、おむつ体１の長手方向に互いに略等間隔に離間されて配設されている。
【００３１】
したがって、これら腰回り用弾性体23は、おむつ体１を図２に示すパンツ形状に形成した際の腰回り開口部21の縁部の全周に亘って配設されている。この結果、これら腰回り用弾性体23にて、背側腰回り部13および腹側腰回り部15の略全域、すなわち装着者の腰回りの略全周に亘って伸縮性が付与される。
【００３２】
また、外装シート５の内側シート片11および外側シート片12の間に位置した両脚回り部16の近傍には、例えば紐状ゴムなどの脚回り用弾性体24がそれぞれ伸張された状態で配設されている。すなわち、脚回り用弾性体24は、脚回り開口部22の全周に亘って配設されている。このため、脚回り部16には、脚回り用弾性体24にて、おむつ体１の長手方向および幅方向に伸縮性が付与され、おむつ体１の脚回り部16はギャザ部に形成される。
【００３３】
さらに、外装シート５の前身頃である腹側腰回り部15の外側面には、腰回り用弾性体23が配設されていない位置に、識別部25を備えた四角形状の前後識別用部材26が貼着されている。
【００３４】
識別部25は、例えばおむつ体１の前側に向けて前後識別用部材26から突出した凸状の「まえ」などの文字であり、パンツ形状としたおむつ体１の前後を、視覚および触覚の両方で識別可能とするものである。この識別部25は、例えば装着者などが指などで触れた際に識別可能な程度の凸状に形成する。
【００３５】
また、前後識別用部材26は、例えばポリプロピレン(polypropylene)、あるいはポリエチレンテレフタレート(polyethylene terephthalate)などの合成樹脂フィルムで形成されている。さらに、この前後識別用部材26は、吸収体４に対応する位置に設けられている。そして、この前後識別用部材26は、おむつ体１の風合いを損なわないように、比較的剛性が低い状態が好ましい。具体的には、この前後識別用部材26は、例えば０．０１ｍｍ〜０．１ｍｍの厚さの合成樹脂のフィルムを２ｃｍ×２ｃｍ程度に形成する。
【００３６】
そして、前後識別用部材26は、おむつ体１の幅方向の中心域に設けられている。
【００３７】
なお、前後識別用部材26は、装着者の視力および触覚などを考慮して、例えば吸収体４の幅寸法と略等しい幅寸法などに、比較的大きく形成されている。
【００３８】
次に、上記第１の実施の形態の作用を説明する。
【００３９】
装着に際しては、おむつ体１を図２に示すパンツ形状に形成してパンツのように装着する。
【００４０】
このとき、装着者などが前後識別用部材26の識別部25に指で触れることで、パンツ形状のおむつ体１の前後を触覚で識別できるので、例えば夜間、あるいは暗い場所で装着する際、目が不自由な人が装着する際などにも、前後を確実に識別でき、おむつ体１の前後を間違えることなく容易に装着できる。
【００４１】
また、識別部25を「まえ」などの文字とすることで、パンツ形状のおむつ体１の前後を触覚と視覚との両方で識別できるので、使い勝手を向上できるとともに、より確実におむつ体１の前後を識別できる。
【００４２】
さらに、前後識別用部材26を、吸収体４に対応する位置に設けることで、おむつ体１の風合いを損なうことを防止して前後識別用部材26を形成する合成樹脂のフィルムの剛性を殆ど気にすることなくおむつ体１を使用でき、装着感を損なうこともない。
【００４３】
なお、上記第１の実施の形態において、前後識別用部材26は、パンツ形状のおむつ体１の後身頃である背側腰回り部13に設ける構成も可能である。この場合には、識別部25を例えば「うしろ」などの文字とすることで、上記第１の実施の形態と同様の作用効果を奏することができる。
【００４４】
また、背側腰回り部13と腹側腰回り部15との両方に前後識別用部材26を設ける構成なども可能である。この場合には、パンツ形状のおむつ体１の前後を、より確実に識別できる。
【００４５】
さらに、識別部25は、着色したり、あるいは模様を設けたりする構成としても、識別部25を文字とする場合と同様の作用効果を奏することができる。
【００４６】
次に、第２の実施の形態を図３を参照して説明する。なお、上記一実施の形態と同様の構成および作用については、同一符号を付してその説明を省略する。
【００４７】
図３において、前後識別用部材26は、内側シート片11と外側シート片12との間に設けられ、おむつ体１の前側に突出している。
【００４８】
また、識別部25は、外側シート片12の内側シート片11側の面に接触し、外側シート片12を前方向に押し込むように設けられている。したがって、識別部25は、おむつ体１の外側から触覚と視覚との両方でそれぞれ識別可能となっている。
【００４９】
そして、内側シート片11と外側シート片12との間に前後識別用部材26を設けることで、おむつ体１の外側から識別部25を触覚で識別することを可能にしつつ、おむつ体１の最外装は外側シート片12で覆われているので、おむつ体１の風合いを損なうことを防止できる。
【００５０】
なお、上記各実施の形態において、図４に示すように、前後識別用部材26に、識別部としての点字31を設ける構成も可能である。この点字31は、例えば「まえ」と表示しており、例えば目が不自由な人が装着する場合などでも、点字31の凹凸による識別だけでなく、点字31を読むことでもおむつ体１の前後を識別できるので、前後をより確実に識別できる。
【００５１】
同様に、図５に示すように、点字31にて「うしろ」と表示し、前後識別用部材26を背側腰回り部13に設ける構成も可能である。
【００５２】
また、図６に示すように、識別部25と点字31とを前後識別用部材26に一緒に設ける構成も可能である。この場合には、例えば目が不自由でない人は、識別部25により触覚と視覚との両方でおむつ体１の前後を確実に識別でき、目が不自由な人は、点字35により触覚と視覚との両方でおむつ体１の前後を確実に識別できるため、使い勝手をより向上できる。
【００５３】
さらに、前後識別用部材26は、背側腰回り部13および腹側腰回り部15の少なくともいずれか一方の吸収体４に対応しない位置に設けることも可能である。
【００５４】
そして、識別部25は、おむつ体１の前後方向を触覚で識別できれば、前後識別用部材26に対して突出させる構成だけでなく、前後識別用部材26に対して凹状に設ける構成なども可能である。
【００５５】
また、識別部25は、単純な凹凸などでもよい。この場合には、前後識別用部材26に対して識別部25を容易に形成できるので、製造性を向上できる。
【図面の簡単な説明】
【００５６】
【図１】本発明の第１の実施の形態の使い捨て吸収性物品の展開状態を示す平面図である。
【図２】同上使い捨て吸収性物品を一部を切り欠いて示す斜視図である。
【図３】本発明の第２の実施の形態の使い捨て吸収性物品を示す斜視図である。
【図４】同上使い捨て吸収性物品の他の実施の形態の点字にて「まえ」と表示した前後識別用部材を示す平面図である。
【図５】同上使い捨て吸収性物品のさらに他の実施の形態の点字にて「うしろ」と表示した前後識別用部材を示す平面図である。
【図６】同上使い捨て吸収性物品のさらに他の実施の形態の前後識別用部材を示す平面図である。
【符号の説明】
【００５７】
１    吸収性物品体としてのおむつ体
２    透液性表面シート
３    不透液性裏面シート
４    吸収体
５    外装シート
11    内側シート片
12    外側シート片
13    背側腰回り部
14    股下回り部
15    腹側腰回り部
16    脚回り部
21    腰回り開口部
22    脚回り開口部
23    腰回り用弾性体
24    脚回り用弾性体
25    識別部
26    前後識別用部材
31    識別部としての点字
【図１】
2005137582.tif 000003
【図２】
2005137582.tif 000004
【図３】
2005137582.tif 000005
【図４】
2005137582.tif 000006
【図５】
2005137582.tif 000007
【図６】
2005137582.tif 000008